(57)【要約】【課題】携帯端末機との間で行っている通信が異なるプロトコルの通信に切り替わった際に、車載機による音楽データの再生が途切れることを防止する。【解決手段】車載機１は、携帯電話機２から有線通信Ｉ／Ｆ制御部８を介して受信した音楽データをメモリ４に記憶すると共に、そのメモリ４に記憶された音楽データを音声再生装置１７に出力する。そして、携帯電話機２との有線通信による接続が切断されてもメモリ４に記憶された音楽データの出力を継続し、携帯電話機２から無線通信により音楽データを受信すると、その受信した音楽データを出力する。【選択図】図１
2013103508.tif 000002
【特許請求の範囲】
【請求項１】
複数の通信手段により携帯端末機と接続可能に構成される車両用音声処理装置において、
前記携帯端末機から第１の通信手段により受信した音声データを記憶手段に記憶すると共に、前記記憶手段に記憶された音声データを少なくともスピーカを備える音声再生装置へ出力し、
前記携帯端末機との前記第１の通信手段による通信接続が切断した後、前記記憶手段に記憶された前記音声データの出力を継続し、
前記携帯端末機から第２の通信手段により音声データを受信すると、前記受信した音声データを出力することを特徴とする車両用音声処理装置。
【請求項２】
請求項１に記載の車両用音声処理装置において、
前記携帯端末機から第１の通信手段により受信した音声データを記憶手段に所定時間分記憶させた後、前記記憶手段に記憶された音声データを出力することを特徴とする車両用音声処理装置。
【請求項３】
請求項１または２記載の車両用音声処理装置において、
前記第１の通信手段は有線による通信であり、前記第２の通信手段は無線による通信であることを特徴とする車両用音声処理装置。
【請求項４】
請求項１ないし３の何れかに記載の車両用音声処理装置において、
前記携帯端末機との前記第１の通信手段による通信接続が切断した後、前記第２の通信手段による通信が開始された場合、前記携帯端末機に対して前記音声データの送信を要求することを特徴とする車両用音声処理装置。
【請求項５】
請求項１ないし４の何れかに記載の車両用音声処理装置において、
前記第１の通信手段による通信が接続されると、前記第２の通信手段による通信接続を可能とするための認証手続きを予め行うことを特徴とする車両用音声処理装置。
【請求項６】
請求項１ないし５の何れかに記載の車両用音声処理装置において、
前記携帯端末機との前記第１の通信手段による通信接続が切断されると、前記記憶手段に記憶された前記音声データに基づく音声信号の音量が徐々に小さくなるように出力し、
前記携帯端末機から第２の通信手段により音声データを受信すると、前記受信した音声データに基づく音声信号の音量が徐々に大きくなるように出力することを特徴とする車両用音声処理装置。
【請求項７】
請求項１ないし６の何れかに記載の車両用音声処理装置において、
前記携帯端末機から第１の通信手段によって音声データを受信した際に前記音声データを前記記憶手段に記憶すると共に、前記携帯端末機との前記第１の通信手段による通信接続が切断された際に、前記記憶手段に記憶された前記音声データの出力を継続する機能の実行可否を、ユーザに設定させるための設定手段を備えることを特徴とする車両用音声処理装置。
【請求項８】
請求項１に記載の車両用音声処理装置において、
前記記憶手段に記憶させた音声データの容量が所定容量以上になるまでは、前記携帯端末機に対して所定の転送速度よりも速い転送速度で前記音声データを送信するように要求すると共に受信した音声データを所定の転送速度よりも速い転送速度で記憶し、
前記音声データの容量が所定量以上になると、前記携帯端末機に対して前記所定の転送速度で前記音声データを送信するように要求すると共に受信した音声データを所定の転送速度で記憶することを特徴とする車両用音声処理装置。
【請求項９】
請求項８に記載の車両用音声処理装置において、
前記音声データの再生指示を受信するか又は前記音声データを受信したときに自身が音声再生中の状態であることを識別し、前記音声データの停止指示を受信するか又は前記音声データが所定時間以上途絶したときに自身が音声停止中の状態であることを識別することを特徴とする車両用音声処理装置。
【請求項１０】
請求項８または９記載の車両用音声処理装置において、
前記携帯端末機との前記第１の通信手段による通信接続が切断した後、前記第２の通信手段による通信が開始され、且つ、音声再生中の状態であると識別していることを条件として、前記携帯端末機に対して前記音声データの送信を要求することを特徴とする車両用音声処理装置。
【請求項１１】
請求項１ないし１０に記載の車両用音声処理装置と、
表示手段を備えた携帯端末機と通信によって接続されると共に、車両内で使用される車両用ディスプレイとを備え、
前記携帯端末機より前記表示手段の画面に表示されている画像の画素情報を取得すると、その画素情報に基づいて前記車両用ディスプレイに当該携帯端末機の表示手段に表示されている画面を表示すると共に、
当該車両用ディスプレイに表示された画面についてユーザからの操作が行われた場合に、操作が行われた当該車両用ディスプレイの画面上の画素領域に対応する前記携帯端末機の表示手段の画面上での画素領域を操作対象領域として特定すると、当該操作対象領域を示す信号を前記携帯端末機に送信し、
前記車両用ディスプレイに表示された画面についてのユーザによる操作の有無、前記音声データの受信状態の少なくとも１つに基づいて、自身が前記音声データを再生中か停止中かを識別することを特徴とする車両用装置。
【請求項１２】
請求項１１に記載の車両用装置において、
前記音声データを受信したときに前記再生中の状態を識別し、前記音声データが所定時間以上途絶したときに前記停止中の状態を識別することを特徴とする車両用装置。
【請求項１３】
請求項１１に記載の車両用装置において、
前記車両用ディスプレイに表示された画面についてのユーザによる操作後、所定時間以内に前記音声データを受信したときに前記再生中の状態を識別し、前記車両用ディスプレイに表示された画面についてのユーザによる操作後、所定時間以内に前記音声データが途絶したときに前記停止中の状態を識別することを特徴とする車両用装置。
【請求項１４】
請求項１１に記載の車両用装置において、
前記携帯端末機から前記音声データを受信した場合、前記携帯端末機画面の表示に代えて、又は、携帯端末機画面の表示に重畳させて、前記車両用ディスプレイに自身の音声データの再生及び停止操作が可能な専用入力操作画面を表示することを特徴とする車両用装置。
【発明の詳細な説明】
【技術分野】
【０００１】
本発明は、複数の通信手段により携帯端末機と接続可能に構成される車両用音声処理及びその車両用音声処理装置を備えてなる車両用装置に関する。
【背景技術】
【０００２】
特許文献１には、表示装置が、演算処理装置（ホスト）に有線接続線を介して接続されているクレードルに設置された状態では演算処理装置と有線通信を行い、クレードルより取り外してユーザにより携帯された状態では演算処理装置と無線通信を行う構成において、有線通信と無線通信との切り替え時に必要な登録処理や接続処理を、ユーザに意識させることなくスムーズに行うようにした技術が開示されている。
【先行技術文献】
【特許文献】
【０００３】
【特許文献１】特許第４０８３９９６号公報
【発明の開示】
【発明が解決しようとする課題】
【０００４】
上記のような装置間の関係は、例えば車両に搭載されるオーディオ機器のような車載機と、携帯電話機との間についても該当する場合がある。例えば、両者が有線通信を行っている状態で、携帯電話機内の音楽データを車載機側に送信し、車載機がその音楽データを再生している状態において、両者間の有線通信が断たれた後Bluetooth（登録商標）等の無線通信に移行するようなケースである。
【０００５】
具体的な例を挙げると、車両の前方座席に着座している乗員が有線通信で接続された携帯電話機を操作している状態から、その携帯電話機を後方座席に着座している乗員に手渡して操作させる際に無線通信に切り替わるような状況が想定される。この時、車載機が再生中の音楽を継続して再生するためには、無線通信に移行する際に、携帯電話機からの音楽データの転送をどのように行うかが問題となる。
【０００６】
ここで、特許文献１に開示されている技術を適用することを想定すると、以下のようなシーケンスとなる。
（１）有線接続での音楽再生中に携帯電話機と車載機との間で、無線接続に必要な情報の授受，及び登録・接続処理を先行して行う。
（２）携帯電話機と車載機との有線接続が断たれると、無線通信に移行する。
この時、有線接続を経由して行われている音楽の再生は停止する。
（３）車載機は、無線通信を介して携帯電話機側に音楽データの転送要求を行う。
（４）携帯電話機より無線通信で送信された音楽データの再生が、車載機によって行われる。
すなわち、上記のシーケンスでは、（２）〜（４）の間に音楽の再生が停止することになり好ましくない。尚、このようなケースは、有線通信から無線通信への切り替えだけでなく、複数の通信プロトコル間で切り替えが行われる際についても同様の問題が生じることが予想される。
【０００７】
本発明は上記事情に鑑みてなされたものであり、その目的は、携帯端末機との間で行っている通信が異なるプロトコルの通信に切り替わった際に、車載機による音楽データの再生が途切れることを防止できる車両用音声処理装置及び車両用装置を提供することにある。
【課題を解決するための手段】
【０００８】
請求項１記載の車両用音声処理装置によれば、携帯端末機から第１の通信手段により受信した音声データを記憶手段に記憶すると共に、その記憶手段に記憶された音声データを少なくとも音声再生装置に出力する。そして、携帯端末機との第１の通信手段による通信接続が切断されても記憶手段に記憶された音声データの出力を継続し、携帯端末機から第２の通信手段により音声データを受信すると、その受信した音声データを出力する。したがって、携帯端末機と通信を行っている状態で送信された音声データを音声再生装置に出力して再生している途中で、通信が一旦途絶し、異なる通信手段に切り替わって通信が再開された場合でも、音声データの再生が途切れないように継続することができる。
【０００９】
請求項２記載の車両用音声処理装置によれば、携帯端末機から第１の通信手段により受信した音声データを記憶手段に所定時間分記憶させてから、記憶手段に記憶された音声データを音声再生装置に出力する。したがって、第１の通信手段による通信が切断されてから、第２の通信手段による通信が開始されるまでに時間を要する場合でも、その間に記憶手段に記憶された音声データを音声再生装置に出力することで、再生が途切れないように継続できる。
【００１０】
請求項３記載の車両用音声処理装置によれば、第１の通信手段を有線による通信とし、第２の通信手段を無線による通信とするので、携帯端末機との有線通信が切断されて無線通信に切り替わった場合に、音声データの再生が途切れないように継続できる。
【００１１】
請求項４記載の車両用音声処理装置によれば、携帯端末機との第１の通信手段による通信接続が切断した後、第２の通信手段による通信が開始されると携帯端末機に対して音声データの送信を要求する。したがって、第２の通信手段による通信が開始された時点で携帯端末機側が自発的に音声データを送信しない場合でも、音声データの送信を促すことができる。
【００１２】
請求項５記載の車両用音声処理装置によれば、第１の通信手段による通信が接続されると、第２の通信手段による通信接続を可能とするための認証手続きを予め行う。したがって、前記認証手続きを完了させるのに時間を要する場合は、当該手続きを先行して完了させておくことで、第１の通信手段から第２の通信手段への切替えを短時間で行うことができる。
【００１３】
請求項６記載の車両用音声処理装置によれば、携帯端末機との第１の通信手段による通信接続が切断されると、記憶手段に記憶された音声データに基づく音声信号の音量が徐々に小さくなるように出力し、携帯端末機から第２の通信手段により音声データを受信すると、受信した音声データに基づく音声信号の音量が徐々に大きくなるように出力する。これにより、音声データの再生が継続している状態において、携帯端末機と車両用音声処理装置との通信を行う手段が切り替わったことをユーザに認識させることができる。また、仮に通信手段を切り替える間に音声データの再生が途切れてしまった場合でも、再生の中断から再開への移行を、ユーザに対して極力不自然さを感じさせないように行うことができる。
【００１４】
請求項７記載の車両用音声処理装置によれば、携帯端末機から第１の通信手段によって音声データを受信した際にその音声データを記憶手段に記憶して、携帯端末機との第１の通信手段による通信接続が切断された際に、記憶手段に記憶された前記音声データの出力を継続する機能の実行可否を、ユーザに設定させるための設定手段を備える。すなわち、ユーザによっては、また、実際の車内における状態によっては、音楽データの再生を自動的に継続する機能が不要であると判断することも想定されるので、そのようなユーザのニーズに対応できる。
【００１５】
請求項８記載の車両用音声処理装置によれば、記憶手段に記憶させた音声データの容量が所定容量以上になるまでは、携帯端末機に対して所定の転送速度よりも速い転送速度で音声データを送信するように要求し、受信した音声データを所定の転送速度よりも速い転送速度で記憶する。そして、前記容量が所定量以上になると、携帯端末機に対して前記所定の転送速度で前記音声データを送信するように要求し、受信した音声データを所定の転送速度で記憶する。これにより、記憶手段に音声データを急速に所定容量分バッファリングさせることが可能となる。
【００１６】
請求項９記載の車両用音声処理装置によれば、音声データの再生指示を受信するか又は音声データを受信したときに自身が音声再生中の状態であることを識別し、音声データの停止指示を受信するか又は音声データが所定時間以上途絶したときに自身が音声停止中の状態であることを識別する。すなわち、車両用音声処理装置の仕様によっては、自身が送信された音声データを再生しているのか、再生を停止しているのか動作状態を把握できない場合がある。そのような場合に、請求項９のように構成することで、音声データの再生中であるか否かを確実に判別することができる。
【００１７】
請求項１０記載の車両用音声処理装置によれば、携帯端末機との第１の通信手段による通信接続が切断した後、第２の通信手段による通信が開始され、且つ、音声再生中の状態であると識別していることを条件に携帯端末機に対して音声データの送信を要求する。これにより、音声データの送信要求を行うべきタイミングを確実に判別できるので、携帯端末機に対して不要な送信要求を行うことを回避できる。
【００１８】
請求項１１記載の車両用装置によれば、請求項１ないし１０の何れかに記載の車両用音声処理装置と、表示手段を備えた携帯端末機と通信によって接続されると共に、車両内で使用される車両用ディスプレイとを備え、携帯端末機より表示手段の画面に表示されている画像の画素情報を取得すると、その画素情報に基づいて車両用ディスプレイに当該携帯端末機の表示手段に表示されている画面を表示する。すなわち、いわゆる「ヴァーチャル・ネットワーク・コンピューティング機能（以下、ＶＮＣ）」が実行可能な構成とする。尚、ＶＮＣ（登録商標）は、ヴァーチャル・ネットワーク・コンピューティング技術の一例であるが、本明細書では、ＶＮＣが上記技術の総称を意味するものとして記載する。
【００１９】
そして、車両用ディスプレイに対してユーザによる操作が行われた場合に、操作が行われた画面上の画素領域に対応する携帯端末機の表示手段の画面上での画素領域を操作対象領域として特定すると、当該操作対象領域を示す信号を前携帯端末機に送信し、車両用ディスプレイに対するユーザによる操作の有無、音声データの受信状態の少なくとも１つに基づいて自身が音声データを再生中か停止中かを識別する。このようにＶＮＣを実行している状態では、車両用装置は、携帯端末機側に操作信号を転送するだけであり携帯端末機によって制御されているので、自身の動作状態を把握することができない場合がある。したがって、上記のような条件によれば、音声データを再生中か停止中かを確実に識別できる。
【００２０】
請求項１２記載の車両用装置によれば、音声データを受信したときに再生中の状態を識別し、音声データが所定時間以上途絶したときに停止中の状態を識別する。このような態様による場合も、自身が音声データを再生中か停止中かを識別できる。
【００２１】
請求項１３記載の車両用装置によれば、車両用ディスプレイの表示に対するユーザによる操作後、所定時間以内に音声データを受信したときに再生中の状態を識別し、車両用ディスプレイの表示に対するユーザからの操作後、所定時間以内に音声データが途絶したときに停止中の状態を識別する。このような態様による場合も、自身が音声データを再生中か停止中かを識別できる。
【００２２】
請求項１４記載の車両用装置によれば、携帯端末機から音声データを受信した場合には前記携帯端末機画面（ＶＮＣにより表示させている携帯端末機の表示手段の画面）の表示に代えて、又は、携帯端末機画面の表示に重畳させて、車両用ディスプレイに自身の音声データの再生及び停止操作が可能な専用入力操作画面を表示する。すなわち、ＶＮＣを終了して自身の専用入力操作画面を表示することで、以降ユーザは車両用装置側のディスプレイを参照しつつ操作を容易に行うことができる。
【図面の簡単な説明】
【００２３】
【図１】第１実施例であり、車載音楽再生システムの構成を示す図
【図２】車載機と携帯電話機との間で行う処理の内容を示すフローチャート
【図３】同処理シーケンス図
【図４】シームレス再生機能をＯＮ，ＯＦＦ設定するための画面表示例を示す図
【図５】第２実施例であり、通信方式の切り替え前後に車載機が音楽データを再生する音量を変化させる状態を示す図
【図６】第３実施例であり、車載機が携帯電話機より受信した音楽データをメモリに記憶させる際の処理を示すフローチャート
【図７】第４実施例であり、車載機と携帯電話機との通信が切断された場合の処理を示すフローチャート
【図８】第５実施例であり、（ａ）はＶＮＣにおける画面表示例、（ｂ）は車載機本来のオーディオ専用の入力操作画面例を示す図
【図９】車載機側の処理を示すフローチャート
【図１０】第６実施例であり、車載機側の画面表示例を示す図
【発明を実施するための形態】
【００２４】
（第１実施例）
以下、第１実施例について図１ないし図４を参照して説明する。図１は、車載音楽再生システムの構成を示すものである。車載音楽再生システムは、車載機（車両用音声処理装置，車両用装置）１と携帯電話機（携帯端末機）２とで構成されている。車載機１は、全体を統括的に制御するＣＰＵ３，ＲＯＭ，ＲＡＭ或いはフラッシュメモリなどからなるメモリ４（記憶手段），Ｄ／Ａコンバータ（ＤＡＣ）５，音声出力部６，スピーカ７等を備えている。メモリ４には、例えばＭＰ３などのコーディング方式により圧縮された音楽データ（音声データ，楽曲データ）等が記憶されており、ＣＰＵ３は、メモリ４より読み出した音楽データを復号化してＤＡＣ５に出力する。ＤＡＣ５によりアナログ信号に変換された音声信号は、音声出力部６を介してフィルタリングされ、又増幅されてスピーカ７より出力される。
【００２５】
また、車載機１は、有線インターフェイス（Ｉ／Ｆ）制御部８（通信手段），無線インターフェイス制御部９（通信手段）を備えている。有線インターフェイス（Ｉ／Ｆ）制御部８は、例えばＵＳＢ等の通信プロトコルで無線通信を行うインターフェイスであり、無線インターフェイス制御部９は、例えばBluetooth（登録商標）等の通信プロトコルで無線通信を行うインターフェイスである。更に、車載機１はタッチパネル部（設定手段）１０を備えている。タッチパネル部１０は、タッチパネル機能を備えたディスプレイ等で構成されており、ユーザが操作入力を行うために必要な情報やタッチ操作用の操作子イメージ、或いは、機能の実行状態に関する情報等が表示される。尚、ディスプレイに表示された内容（画面）に対するユーザによる操作入力の方法としては前述のタッチパネルによる操作入力に限らず、例えば、ジョイスティックなどの遠隔操作スイッチによる操作入力の方法も可能である。
【００２６】
一方、携帯電話機２は、全体を統括的に制御するＣＰＵ１１，同様にＲＯＭ等からなるメモリ１２，有線インターフェイス制御部１３（通信手段），無線インターフェイス制御部１４を（通信手段）備えている。有線，無線インターフェイス制御部１３，１４は、車載機１が備えているものに対応しており、有線インターフェイス制御部１３は、車載機１側の有線インターフェイス制御部８と通信ケーブル１５を介して接続されることで有線通信を行う。また、無線インターフェイス制御部１４は、電波信号により車載機１側の無線インターフェイス制御部９と接続されることで近距離無線通信を行う。
【００２７】
メモリ１２には、同様に所定のコーディング方式により圧縮された音楽データ等が記憶されており、ＣＰＵ１１は、ユーザの操作入力に基づき、メモリ１２より読み出した音楽データにより有線，無線インターフェイス制御部１３，１４を介して夫々の通信プロトコルに従い変調する等して送信する。また、携帯電話機２は、車載機１のタッチパネル部１０と同様のタッチパネル部１６（表示手段）を備えている（所謂スマートフォンタイプ）。尚、車載機１において、ＣＰＵ３，ＤＡＣ５，音声出力部６，スピーカ７は、音声再生装置１７を構成している。
【００２８】
次に、本実施例の作用について図２ないし図４を参照して説明する。図２は、車載機１と携帯電話機２との間で行う処理の内容を示すフローチャートであり、図３は、同様の処理手順を示すシーケンス図である。図２の処理は、車載機１と携帯電話機２との有線通信による接続が開始された時点から開始されるものとする。先ず、携帯電話機２は、車載機１との間で無線通信を行う場合に必要な、例えばＢＤ（Bluetooth Device）アドレスやパスキー等の認証情報を交換する（Ｓ１）。そして、車載機１は、携帯電話機２からの認証要求に基づいて認証を実施する（Ｓ２）。
【００２９】
続いて、携帯電話機２側において、ユーザの操作入力によりメモリ１２に記憶されている音楽データの再生（車載機１側への音楽データの送信）が開始されると（Ｓ３）、車載機１では、後述する本実施例における特徴的な機能（Ｓ５，Ｓ１１）の使用が、ユーザにより「ＯＮ」に設定されているか否かを判断する（Ｓ４）。例えば図４は、上記機能をＯＮ，ＯＦＦに設定するための画面表示例を示しており、タッチパネル部１０の画面には、「通信切替時のシームレス再生機能」といった文字メッセージと、「使用する」（ＯＮ），「使用しない」（ＯＦＦ）選択用のボタン画像が表示されている。そして、ユーザが上記何れか一方のボタン画像にタッチすることで、当該機能のＯＮ，ＯＦＦ設定を行う。
【００３０】
当該機能の使用設定が「ＯＮ」であれば（Ｓ４：ＹＥＳ）、車載機１は、携帯電話機２より送信された音楽データを、メモリ４のバッファ領域にＮ秒（例えば、２〜３秒程度）分記憶させる（Ｓ５）。それから、上記バッファ領域の先頭から音楽データを読み出し、ＤＡＣ５，出力部６を介してスピーカ７より音声信号を出力し、音楽を再生する（Ｓ６）。したがって、車載機１では、携帯電話機２によりデータの送信が開始されてからＮ秒後に再生が開始されることになる。一方、ステップＳ４において、上記機能の使用設定が「ＯＦＦ」であれば（ＮＯ）、ステップＳ５を実行することなくステップＳ６を実行する。また、ステップＳ６において音楽の再生を開始した以降も、携帯電話機２より送信された音楽データを、メモリ４のバッファ領域に随時記憶させる処理は並行して行う。
【００３１】
次に、車載機１は、携帯電話機２との間の有線通信が解除（切断）されたか否かを監視し（Ｓ７）、解除されたと判断すると（ＹＥＳ）、有線通信を終了して携帯電話機２と無線通信で接続に移行する（Ｓ８）。そして、車載機１は、無線通信経由で携帯電話機２に音楽データの送信を要求する（Ｓ９）。続いて、ステップＳ４と同様の判断を行い（Ｓ１０）、当該機能の使用設定が「ＯＮ」であれば（ＹＥＳ）、メモリ４に蓄積されている音楽データを引き続き読み出してその再生を継続する（Ｓ１１）。それから、携帯電話機２により無線通信で送信されたデータを引き続きメモリ４に蓄積しつつ再生を継続する（Ｓ１２）。また、ステップＳ１０において、上記機能の使用設定が「ＯＦＦ」であれば（ＮＯ）、ステップＳ１１を実行することなくステップＳ１２を実行する。
【００３２】
尚、ステップＳ１２において、その時点でメモリ４のバッファ領域に記憶されている音楽データの読み出し・再生が終了している場合には、携帯電話機２により無線通信で送信されたデータを一旦メモリ４に記憶させることなく、そのままＤＡＣ５に転送することで再生を継続しても良い。
【００３３】
以上のように本実施例によれば、車載機１は、携帯電話機２から有線通信Ｉ／Ｆ制御部８を介して受信した音楽データをメモリ４に記憶すると共に、そのメモリ４に記憶された音楽データを音声再生装置１７に出力する。そして、携帯電話機２との有線通信による接続が切断されてもメモリ４に記憶された音楽データの出力を継続し、携帯電話機２から無線通信により音楽データを受信すると、その受信した音楽データを出力する。したがって、携帯電話機２と通信を行っている状態で送信された音楽データを音声再生装置１７に出力して再生している途中で、通信が一旦途絶し、異なる通信インターフェイスに切り替わって通信が再開された場合でも、音楽データの再生が途切れないように継続することができる。
【００３４】
この場合、車載機１は、携帯電話機２から有線通信により受信した音楽データをメモリ４に所定時間分記憶させてから、メモリ４に記憶された音楽データを音声再生装置１７に出力する。したがって、有線通信が切断されてから無線通信が開始されるまでに時間を要する場合でも、その間にメモリ４に記憶された音楽データを音声再生装置１７に出力することで、再生が途切れないように継続できる。
【００３５】
また、車載機１は、携帯電話機２との有線通信が切断された後、無線通信が開始されると携帯電話機２に対して音楽データの送信を要求する。したがって、無線通信が開始された時点で携帯電話機２側が自発的に音楽データを送信しない場合でも、音楽データの送信を促すことができる。更に、車載機１と携帯電話機２とは、有線通信が接続されると、無線による通信接続を可能とするための認証手続きを予め行う。したがって、認証手続きを完了させるのに時間を要する場合は、当該手続きを先行して完了させておくことで、有線通信から無線通信への切替えを短時間で行うことができる。
【００３６】
加えて、携帯電話機２より送信された音楽データをメモリ４に記憶させ、携帯電話機２との有線通信による接続が切断された際に、メモリ４に記憶された音楽データの出力を継続する機能の実行可否を、ユーザに設定させるようにした。すなわち、前記機能を実行すると音楽の再生が開始されるまでに時間遅れが発生するので、ユーザによっては、また、実際の車内における状態によっては、音楽データの再生を自動的に継続する機能が不要であると判断する場合も想定される。したがって、そのようなユーザのニーズに対応するＬことができる。
【００３７】
（第２実施例）
図５は第２実施例であり、第１実施例と同一部分には同一符号を付して説明を省略し、以下異なる部分について説明する。図５は、横軸に時間，縦軸に車載機１が音楽データを再生する際の音量を示す。第２実施例では、車載機１と携帯電話機２との有線通信が途絶して携帯電話機２からの音楽データの送信が停止している間、車載機１がメモリ４に記憶されている音楽データの再生を行う期間は再生音量を徐々に低下させる（フェードアウト）。そして、携帯電話機２と無線通信により接続され、音楽データの送信が再開されると、再生音量を徐々に上昇させる（フェードイン）。
【００３８】
以上のように第２実施例によれば、車載機１は、携帯電話機２との有線通信接続が切断されると、メモリ４に記憶された音楽データに基づく音声信号の音量が徐々に小さくなるように出力し、携帯電話機２から無線通信により音楽データを受信すると、受信した音楽データに基づく音声信号の音量が徐々に大きくなるように出力する。
これにより、音楽データの再生が継続している状態において、携帯電話機２と車載機１との間で通信手段が切り替わったことをユーザに認識させることができる。また、仮に有線通信→切断→無線通信，と移行するのに時間が長くかかり、メモリ４に記憶されている音楽データの再生が終了することで再生が途切れてしまった場合でも、再生の中断から再開への移行を、ユーザに対して極力不自然さを感じさせないように行うことができる。
【００３９】
（第３実施例）
図６は第３実施例であり、第１実施例と異なる部分について説明する。第３実施例は、第１実施例のステップＳ５或いはＳ１２において、車載機１が、携帯電話機２より受信した音楽データをメモリ４に記憶させる際の処理を示す。また、この処理は、ユーザが車載機１に対して操作入力を行うか、又は音楽データを受信したことを条件として開始する。
先ず、車載機１（音楽再生装置１７）の状態を示す変数（状態変数；フラグ）を「再生中」に設定すると（Ｓ２１）、その時点でメモリ４のバッファ領域に記憶されている音楽データの容量を測定し、当該容量が所定値以上か否かを判断する（Ｓ２２）。尚、上記のようにメモリのデータ容量を測定する方法としては、公知の技術を用いることができる（例えば、特開平７−１７０５０４号公報；段落［００２２］参照）。
【００４０】
バッファ領域に記憶されている音楽データの容量が所定値以上であれば（Ｓ２２；ＹＥＳ）、車載機１は、携帯電話機２に対して通常の転送レートによるデータ送信を指示する（Ｓ２３）。一方、上記音楽データの容量が所定値未満であれば（Ｓ２２；ＮＯ）、車載機１は、携帯電話機２に対して高速転送レートによるデータ送信を指示する（Ｓ２４）。そして、通常若しくは高速転送レートで送信されたデータを、メモリ４のバッファ領域に書き込み（バッファリング；Ｓ２５）、音楽再生装置１７へのデータ出力は通常の転送レートで行う（Ｓ２６）。
【００４１】
そして、続くステップＳ２７において、ユーザの操作による音楽再生の停止指示があるか否かを判断し、停止指示がなければ（ＮＯ）ステップＳ２２に戻り、停止指示があれば（ＹＥＳ）状態変数を「停止中」に設定する（Ｓ２８）。それから、メモリ４のバッファ領域をクリアして（Ｓ２９）処理を終了する。
【００４２】
尚、状態変数については、例えば車両のキースイッチにおいてＡＣＣ（アクセサリ）＝ＯＦＦとなった場合にクリア（すなわち「停止中」）して、次回にＩＧ（イグニッション）＝ＯＮとなった場合は状態変数がクリアされた状態から処理を開始しても良い。この場合、次回にＩＧ＝ＯＮになると同時に意図せずに音楽データの再生が開始されることを防止できる。また、ＡＣＣ＝ＯＦＦとなった場合に状態変数をクリアせず、「再生中」であった場合はその記憶状態を保持しても良い。この場合、次回にＩＧ＝ＯＮになると、状態変数が「再生中」であることを条件に、自動的に再生を開始する。また、メモリ４のバッファ領域についても、ＡＣＣ＝ＯＦＦとなった場合にクリアする。
【００４３】
以上のように第３実施例によれば、車載機１は、メモリ４に記憶させた音楽データの容量が所定容量以上になるまでは、携帯電話機２に対して所定の転送速度よりも速い転送速度で音楽データを送信するように要求し、受信した音楽データを所定の転送速度よりも速い転送速度で記憶する。そして、前記容量が所定量以上になると、携帯電話機２に対して前記所定の転送速度で前記音楽データを送信するように要求し、受信した音楽データを所定の転送速度で記憶する。これにより、メモリ４に音楽データを急速に所定容量分バッファリングさせることが可能となる。
【００４４】
また、通信手段の切り替えが複数回行われる場合であっても、前回の通信手段の切り替え後に受信した音楽データを所定容量分バッファリングさせることにより、次回の通信手段の切り替え時には、当該バッファリングされた音楽データを利用して音楽再生を継続することができる。
【００４５】
（第４実施例）
図７は第４実施例であり、第１実施例と異なる部分について説明する。第１実施例では、携帯電話機２との有線通信が切断されると無線通信に移行するが、第４実施例では、次に切り替える通信手段をユーザに選択させることを可能にしたものである。尚、この例については、無線通信手段としてBluetooth（ＢＴ）の外に例えばＷｉ−Ｆｉ（登録商標）などの通信手段も選択可能になっているとする。また、最初に有線通信で接続されていることを前提とする必要もない。
【００４６】
図７に示すように、携帯電話機２（図２では、スマートフォンの略称；スマホと表記している）との通信が切断されると、車載機１は、タッチパネル部１０により他の通信手段候補があることをユーザに通知する（Ｓ３１）。例えば、タッチパネル部１０の画面に、「スマホとの接続が切断されました  他の通信方法で再接続しますか？」といった文字メッセージと共に、他の通信手段候補としてＵＳＢ，Ｗｉ−Ｆｉ，ＢＴ等を表示して、ユーザに何れかを選択させる。また、ユーザが他の通信方法での再接続を希望しない場合には「終了？」を選択することもできる。
【００４７】
ユーザが画面中の「終了？」をタッチした場合は（Ｓ３２；ＹＥＳ）、再接続を行わずそのまま処理を終了する。また、ユーザが画面上でＵＳＢ，Ｗｉ−Ｆｉ，ＢＴの何れかを選択して「選択決定」にタッチすると（Ｓ３３；ＹＥＳ）、選択された他の通信手段による再接続を行う（Ｓ３５）。この場合、状態変数を「再生中」に設定し（Ｓ３６）、携帯電話機２側に音楽データの送信を要求する（Ｓ３７）。
【００４８】
また、ステップＳ３３において、ユーザが他の通信手段を選択することなく（ＮＯ）通信が開始された場合は（Ｓ３４；ＹＥＳ）、開始された通信手段による通信を行いステップＳ３６に移行する。第４実施例において、ＡＣＣ＝ＯＦＦとなった場合の状態変数の取り扱いは、第３実施例と同様にすれば良い。
以上のように第４実施例によれば、車載機１は、携帯電話機１との間で行っていた通信が切断された場合は、切替え可能な他の通信手段をユーザに提示して選択させるようにしたので、ユーザが所望する通信手段に切り替えることが可能となる。
【００４９】
（第５実施例）
図８及び図９は第５実施例であり、第１実施例と異なる部分について説明する。第５実施例では、車載機１は、携帯電話機２のタッチパネル部１６に表示されるタッチパネル画像の画素情報を通信により取得すると、その画素情報に基づいて自身のタッチパネル部１０（車両用ディスプレイ）に上記画像を表示する。そして、タッチパネル部１０に対してユーザからの接触操作が行われると、操作が行われた画面上の画素領域に対応する携帯端末機２のタッチパネル画面上での画素領域を操作対象領域として特定し、当該操作対象領域を示す信号を携帯端末機２に送信する、所謂「ＶＮＣ」が実行可能に構成されている。図８（ａ）は、ＶＮＣにおけるタッチパネル部１０の画面表示例であり、図８（ｂ）は、車載機１本来のオーディオ専用の入力操作画面例である。
【００５０】
図９は、車載機１がＶＮＣを実行している場合の処理を示すフローチャートである。図９（ａ）において、第１実施例と同様に、両者が最初に有線通信で接続されている状態ではステップＳ４１，Ｓ４２のループを実行しており、ステップＳ４１は図９（ｂ）に示す「音楽再生処理」である。
図９（ｂ）において、車載機１では、図８（ａ）に示す画像をタッチパネル部１０に表示させている状態で、ユーザによるタッチパネルでの画面操作が行われてから所定時間内に、携帯電話機２から送信された音楽データを受信すると（Ｓ５１：ＹＥＳ）、自身が「音楽再生中」状態であることを記憶する（Ｓ５２）。そして、第１実施例のステップＳ５，Ｓ６と同様に、受信した音楽データの記憶及び再生を行う。
【００５１】
すなわち、車載機１は、ＶＮＣの実行中は、ユーザによるタッチパネルでの画面操作が行われるとそれに対応した操作信号を携帯電話機２側に転送し、その結果として携帯電話機２が行う動作を受け入れる状況にあるので、自身がＶＮＣに設定されていること以外の制御状態については積極的に知り得ない。したがって、ステップＳ５１で「ＹＥＳ」と判断したことを以って自身が「音楽再生中」状態であることを認識し、フラグ等により記憶する。
【００５２】
続くステップＳ５３では、ステップＳ５１と同様に、タッチパネルでの画面操作が行われてから所定時間（Ｓ５１における「所定時間」とは異なる）内に、携帯電話機２から送信された音楽データが所定時間（Ｓ５１，Ｓ５３における「所定時間」とは異なる）以上途絶したか否かを判断する。ここで、音楽データの送信が途絶した場合には（ＹＥＳ）「音楽停止中」の状態を認識し、フラグ等により記憶する。そして、音楽データをメモリ４に記憶させる処理を停止すると共に、音楽データの再生を停止してステップＳ４２に移行する（Ｓ５４）。また、ステップＳ５３において音楽データの送信が途絶しなければ（ＮＯ）そのままステップＳ４２に移行する。
【００５３】
図９（ａ）のステップＳ４２では、第１実施例のように有線通信から無線通信への移行が行われたか（接続方法が切替えられたか）を判断し、無線通信への移行がなければ（ＮＯ）ステップＳ４１に戻る。一方、無線通信に移行すると（ＹＥＳ）、その時点で自身の状態が「音楽再生中」か否かを判断し（Ｓ４３）、再生中であれば（ＹＥＳ）、第１実施例のステップＳ８〜Ｓ１２と同様の処理を行い（Ｓ４４。尚、ステップＳ１０については実行してもしなくても良い）ＶＮＣを終了する。この時点で、タッチパネル部１０の画面表示は図８（ｂ）に切り替わる。また、ステップＳ４３において再生中でなければ（ＮＯ）やはりＶＮＣを終了する。
【００５４】
以上のように第５実施例によれば、車載機１をＶＮＣが実行可能な構成として、車載機１は、タッチパネル部１０に対するユーザによる接触操作後所定時間内に、携帯電話機２より音楽データを受信したときに自身が音声再生中の状態であることを識別し、音楽データが所定時間以上途絶したときに自身が音声停止中の状態であることを識別する。したがって、車載機１がＶＮＣで動作している場合でも、音楽データの再生中であるか否かを確実に判別することができる。
【００５５】
また、車載機１は、携帯電話機２との第１の通信手段による通信接続が切断した後、第２の通信手段による通信が開始され、且つ、音声再生中の状態であると識別していることを条件に携帯電話機２に対して音楽データの送信を要求する。これにより、音楽データの送信要求を行うべきタイミングを確実に判別できるので、携帯電話機２に対して不要な送信要求を行うことを回避できる。
【００５６】
また、車載機１は、携帯電話機２から音楽データを受信した場合には携帯電話機２の画面に対応する表示を終了して、タッチパネル部１０に自身の音楽データの再生及び停止操作が可能な専用入力操作画面を表示する。すなわち、ＶＮＣによる画面表示に代えて（ＶＮＣによる画面表示を終了して）自身の専用入力操作画面を表示することで、以降にユーザは車載機１側のタッチパネル部１０を参照しつつ操作を容易に行うことができる。また、当該専用入力操作画面における音楽データの再生ないし停止等の操作は車載機自身で識別ができることから、専用入力操作画面表示以降は、専用入力操作画面に表示されるボタンの操作情報から音楽再生中の状態か停止中の状態かを区別することができる。
尚、車載機１は、携帯電話機２から音楽データを受信した場合に、ＶＮＣによる表示画面に重畳させて自身の専用入力操作画面を表示するようにしても良い。
【００５７】
（第６実施例）
図１０は第６実施例であり、車載機１のタッチパネル部１０における画面表示例を示す。第６実施例では、車載機１は、携帯電話機２から送信された音楽データを再生する場合には、楽曲が携帯電話機２から送信されたものであることをユーザが認識できるように、当該楽曲に携帯電話機を示すアイコンを付して画面表示を行うようにする。図１０に示す例では、楽曲１，４に上記アイコンが付されているが、楽曲１は既に再生を終了したものであり、楽曲２，３は車載機１側に記憶されている楽曲である。楽曲４は、現在携帯電話機２より送信されて再生中の楽曲を示している。
【００５８】
また、図１０に示す例を、例えば図８（ｂ）に示したように車載機１のオーディオ専用の入力操作画面に適用して同様のアイコンを付しても良い。このように表示すれば、ユーザは再生されている楽曲が車載機１側に記憶されているものか、携帯電話機２より送信されたものかを容易に判別できる。
【００５９】
本発明は上記し又は図面に記載した実施例にのみ限定されるものではなく、以下のような変形又は拡張が可能である。
例えば第１実施例において、第１の通信手段を無線通信，第２の通信手段を有線通信としても良い。
ステップＳ４，Ｓ１０のように、機能の使用をＯＮ，ＯＦＦ設定するための手段は、必要に応じて設ければ良い。
また、設定手段は、タッチパネル部に限ることなく、例えば専用の設定キー等を設けても良い。したがって、表示手段として独立したディスプレイを備えていても良い。
通信接続を行う際に必要な認証情報については、選択した通信のプロトコルに応じたものを使用すれば良い。
第４実施例のように、ユーザに他の通信手段を選択させることに替えて、予め定めた所定の順序に従い、通信手段を順次切り替えるようにしても良い（例えば、ＢＴ→Ｗｉ−Ｆｉ→ＵＳＢ→ＢＴ→…など）。
【００６０】
第５実施例のステップＳ５１において、タッチパネル部１０に対する接触操作があったことを条件とせずとも、携帯電話機２より送信された音楽データを受信したことのみを以って「音楽再生中」と判断しても良い。ステップＳ５３についても同様であり、携帯電話機２より送信されていた音楽データが途絶したことのみを以って「音楽停止中」と判断しても良い。
また、上記の「音楽データを受信したこと」，「音楽データが途絶したこと」に替えて、携帯電話機２より「音楽データの再生指示を受信したこと」，「音楽データの停止指示を受信したこと」を条件としても良い。
【００６１】
更に、第５実施例は、ＶＮＣで動作中ではない車載機１について適用しても良い。また、タッチパネルを備えていない車載機に適用しても良い。
車載機は、車両用ナビゲーション装置として構成されていても良い。すなわち、一般的なナビゲーション装置に、車載機１の機能を実現するための構成を加えたものでも良い。
携帯端末機は、必ずしもタッチパネル部を備える必要はなく、少なくとも表示手段と、タッチパネルに対する接触操作に代わる操作キー等の操作手段を備えていれば良い。また、携帯電話機に限ることなく音楽再生専用装置であっても良い。
通信手段は、その他、無線ＬＡＮ等でも良い。
【符号の説明】
【００６２】
図面中、１は車載機（車両用音声処理装置，車両用装置）、２は携帯電話機（携帯端末機）、４はメモリ（記憶手段）、７はスピーカ、８は有線インターフェイス制御部（通信手段）、９は無線インターフェイス制御部（通信手段）、１０はタッチパネル部（設定手段）、１３は有線インターフェイス制御部（通信手段）、１４は無線インターフェイス制御部（通信手段）、１６はタッチパネル部（表示手段）、１７は音声再生装置を示す。
【図１】
2013103508.tif 000003
【図２】
2013103508.tif 000004
【図３】
2013103508.tif 000005
【図４】
2013103508.tif 000006
【図５】
2013103508.tif 000007
【図６】
2013103508.tif 000008
【図７】
2013103508.tif 000009
【図８】
2013103508.tif 000010
【図９】
2013103508.tif 000011
【図１０】
2013103508.tif 000012